【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  遊戯子を保持する保持手段がプレイフィールド上に多数形成され、該保持手段上の遊戯子を放出する放出手段が該保持手段に設けられたゲーム装置において、
前記保持手段は、それぞれ相互に別体に分離され、
前記保持手段と放出手段とがそれぞれ対をなしてゲーム装置基体に着脱可能に取付けられたことを特徴とするゲーム装置。
【請求項２】  遊戯子を保持する保持手段がプレイフィールド上に多数形成され、該保持手段上の遊戯子を放出する放出手段が該保持手段に設けられたゲーム装置において、
前記保持手段は、それぞれ相互に別体に分離され、
前記保持手段と放出手段とがそれぞれ対をなし支持手段を介してゲーム装置基体に着脱可能に取付けられたことを特徴とするゲーム装置。
【請求項３】  前記保持手段の平面形状は多角形状に形成され、該保持手段の１辺は、隣接する他の保持手段の１辺に略接して、該多数の保持手段は略隙間なくプレイフィールドに沿って配置されたことを特徴とする請求項１または請求項２記載のゲーム装置。
【請求項４】  遊戯子を保持する保持手段がプレイフィールド上に多数形成され、該保持手段上の遊戯子を放出する放出手段が該保持手段に設けられたゲーム装置において、
前記保持手段は、それぞれ相互に別体に分離され、
前記保持手段と放出手段とがそれぞれ対をなしそれぞれゲーム装置基体に結合・分離可能に結合されたことを特徴とする請求項１乃至請求項３いずれか記載のゲーム装置。
【請求項５】  遊戯子を保持する保持手段がプレイフィールド上に多数形成され、該保持手段上の遊戯子を放出する放出手段が該保持手段に設けられたゲーム装置において、
前記保持手段は、それぞれ相互に別体に分離され、
前記保持手段と放出手段とがそれぞれ対をなし相互に一体に結合されたことを特徴とする請求項１乃至請求項３いずれか記載のゲーム装置。
【請求項６】  前記支持手段はプレイフィールドの巾方向に指向した棒状部材であって、該棒状支持部材はプレイフィールドの長手方向に亘って複数本配置されたことを特徴とする請求項２記載のゲーム装置。
【請求項７】  前記支持手段は板状支持部材であって、該板状支持部材はプレイフィールドの前後左右に亘って複数枚配置されたことを特徴とする請求項２記載のゲーム装置。
【請求項８】  遊戯子を保持する保持手段がプレイフィールド上に多数形成され、該保持手段上の遊戯子を放出する放出手段が該保持手段に設けられたゲーム装置において、
前記保持手段は、それぞれ相互に別体に分離され、
前記保持手段と放出手段とがそれぞれ対をなしてゲーム装置基体に着脱可能に、または対をなし支持手段を介してゲーム装置基体に着脱可能に取付けられ、
前記保持手段の上方部材は、外周縁から上方部材中心に向い下方へ弯曲した形状に形成されるとともに、該上方部材中心に開口が形成され、
前記放出手段の放出方向は、該上方部材開口に向い前記プレイフィールドに対し斜めに交叉した方向に指向し、
前記上方部材開口の中心を通り前記プレイフィールドに対し直交する中心線を中心に前記放出手段は旋回可能に設けられたことを特徴とするゲーム装置。
【請求項９】  前記上方部材開口を貫通する調整工具により前記放出手段は旋回調整されることを特徴とする請求項８記載のゲーム装置。
【請求項１０】  前記調整工具と係止する係止部を中心に備えた旋回歯車が、前記上方部材開口の中心を通り前記プレイフィールドに対し直交する中心線直下に、旋回自在に枢支され、
前記放出手段をゲーム装置本体に対し旋回自在に枢支する放出手段支持部材に、前記旋回歯車と噛合う歯車が一体に取付けられたことを特徴とする請求項９記載のゲーム装置。
【請求項１１】  前記上方部材開口の中心を通り前記プレイフィールドに対し直交する中心線上直下に、固定歯車が配設され、
前記放出手段をゲーム装置本体に対し旋回自在に枢支する放出手段支持部材に遊星歯車が枢着され、
該遊星歯車には前記調整工具と係止する係止部が設けられるとともに前記固定歯車に噛合うことを特徴とする請求項９記載のゲーム装置。
【請求項１２】  前記放出手段の放出方向を設定する放出方向操作手段と、
該操作手段に連動して前記放出手段の放出方向を変更する放出方向駆動手段とを備えたことを特徴とする請求項８記載のゲーム装置。
【請求項１３】  前記放出手段の放出方向を設定する放出方向操作手段と、
該放出方向操作手段の放出方向を検出する放出方向検出手段と、
該放出方向検出手段にて検出された放出方向に前記放出手段を旋回させるアクチェータとを備えたことを特徴とする請求項８記載のゲーム装置。
【請求項１４】  前記放出方向操作部材は球面支持され、前記放出方向検出手段は、該放出方向操作部材の軸中心線が前記球面の中心を通る基準平面上に投影された投影線と該基準平面上の基準線とのなす角度を検出し、前記放出手段は、該投影線と平行方向に旋回されることを特徴とする請求項１３記載のゲーム装置。
【請求項１５】  前記放出方向操作部材の頂端に放出ボタンが設けられ、該放出ボタンへの押し操作でもって前記放出手段は放出動作を開始することを特徴とする請求項１３記載のゲーム装置。
【請求項１６】  前記放出手段の可動部材は前記上方部材開口に指向し、該可動部材に対し伸縮自在に加撃手段が該可動部材の先端に設けられたことを特徴とする請求項８記載のゲーム装置。
【請求項１７】  前記加撃手段は、前記可動部材の先端に一体に取付けられた加撃手段本体と、該可動部材よりその移動方向線上に位置して該加撃手段本体に螺着された加撃片と、該加撃片を前記加撃手段本体に一体に固定する固定部材とよりなることを特徴とする請求項１６記載のゲーム装置。
【請求項１８】  前記可動部材の移動方向線に対し交叉した方向のスリットが前記加撃手段本体に形成され、
前記加撃片は該スリットの延長平面よりも前記ソレノイド本体側へ伸長して前記加撃手段本体に螺着され、
前記固定手段はネジであって前記スリットを横切って前記加撃手段本体に螺着されたことを特徴とする請求項１７記載のゲーム装置。
【請求項１９】  遊戯子を保持する保持手段がプレイフィールド上に多数配設されるとともに、該保持手段により保持された遊戯子を放出する放出手段が該保持手段にそれぞれ設けられたゲーム装置において、
前記保持手段は、それぞれ相互に別体に分離され、
前記保持手段と放出手段とがそれぞれ対をなしてゲーム装置基体に着脱可能に、または対をなし支持手段を介してゲーム装置基体に着脱可能に取付けられ、
前記ゲーム装置は、複数の遊戯者が１組のチームを組んで、相手方チームと対戦する対戦ゲーム装置であって、
前記各保持手段には、３人以上の遊戯者に対応した色を発光する３種類以上の発光手段がそれぞれ設けられ、
各遊戯者によりそれぞれ操作されて前記各発光手段の発光位置を順次変える発光位置移動操作手段が設けられ、
前記発光手段の内、発光した発光手段に対応した放出手段のみが放出動作可能に構成され、
一方のチームの２人以上の遊戯者による放出位置移動操作でもって、同一保持手段内の種類の異なる発光手段が同時に発光した場合には、相手方のチームの遊戯者による放出位置移動操作では、該発光した保持手段内で、相手方チームの発光手段が発光することができないように構成されたことを特徴とするゲーム装置。
【手続補正２】
【補正対象書類名】明細書
【補正対象項目名】０００２
【補正方法】変更
【補正の内容】
【０００２】
また、本出願発明は、遊戯者が前記放出手段を動作させてボールの如き遊戯子を移動させるゲーム装置において、複数の遊戯者がそれぞれ放出手段を動作させる際に、各遊戯者に対応した色を発光する発光手段をプレイフィールド上にて移動させ、ボールの如き遊戯子を保持した保持手段の直下に自己の色を発光した場合のみ、該遊戯子を放出させることができるように構成されたゲーム装置に関するものである。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
さらに、請求項８記載のように発明を構成することにより、プレイフィールドに対して直交する方向を中心として放出手段による放出方向を容易に調整することができる。
【手続補正７】
【補正対象書類名】明細書
【補正対象項目名】００２０
【補正方法】変更
【補正の内容】
【００２０】
さらにまた、請求項９記載のように発明を構成することにより、調整工具を利用してより一層簡単に放出手段の放出方向を調整することができる。
【手続補正８】
【補正対象書類名】明細書
【補正対象項目名】００２１
【補正方法】変更
【補正の内容】
【００２１】
そして、請求項１０記載のように発明を構成することにより、放出手段の旋回調整機構を簡単に構成することができる。
【手続補正９】
【補正対象書類名】明細書
【補正対象項目名】００２２
【補正方法】変更
【補正の内容】
【００２２】
しかも、請求項１１記載のように発明を構成することにより、前記請求項１０の旋回調整機構を別な構造で構成することができる。
【手続補正１０】
【補正対象書類名】明細書
【補正対象項目名】００２３
【補正方法】変更
【補正の内容】
【００２３】
また、請求項１２記載のように発明を構成することにより、ゲーム中でも、放出方向操作手段を操作して、放出方向駆動手段を動作させ、放出手段の放出方向をゲームの展開に対応させて変更することができ、より高い操作技能を遊戯者に求めることによって、ゲームの興趣を盛り上げることができる。
【手続補正１１】
【補正対象書類名】明細書
【補正対象項目名】００２４
【補正方法】変更
【補正の内容】
【００２４】
さらに、請求項１３記載のように発明を構成することにより、前記放出方向操作手段の操作量に対応した角度だけ放出手段を自動的に追従制御することができる。
【手続補正１２】
【補正対象書類名】明細書
【補正対象項目名】００２５
【補正方法】変更
【補正の内容】
【００２５】
さらにまた、請求項１４記載のように発明を構成することにより、通常のジョイスティックと同様な操作感覚で放出手段の放出方向制御を行なうことができる。
【手続補正１３】
【補正対象書類名】明細書
【補正対象項目名】００２６
【補正方法】変更
【補正の内容】
【００２６】
そして、請求項１５記載のように発明を構成することにより、飛行機ゲーム装置でミサイル、銃弾等を発射するのと同様な発射感覚で遊戯子を放出することができる。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】変更
【補正の内容】
【００２９】
さらに、請求項１６記載のように発明を構成することにより、ソレノイドによる遊戯子の放出力を自由にかつ容易に調整することができる。
【手続補正１７】
【補正対象書類名】明細書
【補正対象項目名】００３０
【補正方法】変更
【補正の内容】
【００３０】
さらにまた、請求項１７記載のように発明を構成することにより、加撃手段を簡単に構成することができる。
【手続補正１８】
【補正対象書類名】明細書
【補正対象項目名】００３１
【補正方法】変更
【補正の内容】
【００３１】
しかも、請求項１８記載のように発明を構成することにより、加撃片の伸縮調整を容易に行なうことができるとともに、加撃片を調整位置で強固に固定することができる。
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】変更
【補正の内容】
【００３８】
さらにまた、請求項１９記載のように発明を構成することにより、味方同士の遊戯者により遊戯子を保持した保持手段に味方同士の色を着色させることでもって、相手方の色をその保持手段に着色させることを阻止し、保持手段に遊戯子が安定して保持された状態で、遊戯子を正確に放出させてゲームを有利に進めることができる。
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００５８
【補正方法】変更
【補正の内容】
【００５８】
また、図１５に図示されるように、ＬＥＤ支持カップ12の外周縁12ａに隣接した周壁部12ｄは、円錐台面状に形成され、該円錐台状周壁部12ｄの下縁12ｅは段状に形成され、さらにその下部12ｆは短円筒状に形成され、該短円筒状周壁部12ｆの下端縁に円環板状底部12ｇが形成され、該円環板状底部12ｇの内周縁に短円筒状内壁部12ｈが形成され、該短円筒状内壁部12ｈの上縁に、環状傾斜面部12ｉが形成され、該環状傾斜面部12ｉの上面には、周方向に亘り等間隔に４個の突条部12ｋが形成され、環状傾斜面部12ｉにドライバー装入孔12ｍ（図１３、図１４参照）が設けられており、該環状傾斜面部12ｉは、透明ボール保持カップ11の主要部11ｆの内周部分と緩やかに接続されるように傾斜している。
【手続補正３２】
【補正対象書類名】明細書
【補正対象項目名】００６５
【補正方法】変更
【補正の内容】
【００６５】
まず、ボールキック装置20では、棒状支持部材15にボール保持ユニット10の巾方向寸法、即ちボール保持カップ11の巾方向寸法と同一間隔毎に、ベース14がネジ34でもって一体に棒状支持部材15に固着され、該ベース14の両端部にカップ支持ブラケット13の下端がネジ34でもって一体に固着され、図６に図示されるように、そのカップ支持ブラケット13より内側に隣接して１対の基部ブラケット35がネジ34でもって一体に取付けられ、該１対の基部ブラケット35の上部片35ａに基片36が架渡され、該基片36の上面に押え片37が重ねられるとともに、守備側ソレノイド取付けブラケット38の水平部片38ａが基片36の下面に当接され、基部ブラケット35の上部片35ａにネジ孔が設けられ、基片36には３個のネジ孔36ａ，36ｂ，36ｃが設けられ、押え片37の下方片37ａには前記ネジ孔36ａ，36ｂに対応したネジ孔（図示されず）が設けられ、守備側ソレノイド取付けブラケット38の水平片38ａには前記ネジ孔36ｂ，36ｃに対応したネジ孔38ｂ，38ｃが設けられており、押え片37のネジ孔，基片36のネジ孔36ａ，基部ブラケット35の上部片35ａのネジ孔に、ネジ39ａが貫通螺着され、押え片37のネジ孔，基片36のネジ孔36ｂ，守備側ソレノイド取付けブラケット38のネジ孔38ｂにネジ39ｂが貫通螺着され、基片36のネジ孔36ｃ，守備側ソレノイド取付けブラケット38のネジ孔38ｃにネジ39ｃが貫通螺着されている。
【手続補正３３】
【補正対象書類名】明細書
【補正対象項目名】００７９
【補正方法】変更
【補正の内容】
【００７９】
さらに、メダル投入口51にメダルを投入すると、全発光手段26は消灯された後、ドット式文字表示装置52にゴールキーパボタン８を押すような指示が表示されるとともに、図２４に図示されるように、ゲーム装置本体２のプレイフィールド２ａ前後両端から相手側の透明ゴール18に向ってトラックボール６の色に対応した４色の光が移動するように、発光手段26が点滅され、次に図２５に図示されるように４色の光が移動し、さらに図２６に図示されるように４個のトラックボール６に最も近いボール保持ユニット10にてそれぞれの色が点滅される。
【手続補正３４】
【補正対象書類名】明細書
【補正対象項目名】０１０２
【補正方法】変更
【補正の内容】
【０１０２】
さらに、図１ないし図２９に図示の実施形態では、攻撃側ボールキック装置22と一体のギヤ42を回転自在に枢支し、このギヤ42に噛合うピニオン41を回転させることにより、攻撃側ボールキック装置22のキック方向を変えるようにしたが、請求項１１記載のように、ギヤ42を固定し、攻撃側ボールキック装置22と一体の攻撃側ソレノイド取付けブラケット43にピニオン41を枢支してもよく、このような構造でも、攻撃側ボールキック装置22のキック方向を変えることができる。
【手続補正３５】
【補正対象書類名】明細書
【補正対象項目名】０１０３
【補正方法】変更
【補正の内容】
【０１０３】
さらにまた、図１ないし図２９に図示の実施形態では、ピニオン41の＋溝に−ドライバーの先端を係合させて、手動操作で攻撃側ボールキック装置22のキック方向を変えるようにしたが、請求項１２に記載のように、ピニオン41に駆動手段を連結し、この駆動手段でもってピニオン41を回転させるようにしてもよく、この構成では、ゲーム中でも攻撃側ボールキック装置22のキック方向を変えることができる。
【手続補正３６】
【補正対象書類名】明細書
【補正対象項目名】０１０４
【補正方法】変更
【補正の内容】
【０１０４】
しかも、請求項１３に記載のように、前記駆動手段にモータの如きアクチェータを用いることにより手動操作によらずに、放出方向検出手段の検出信号でもって、攻撃側ボールキック装置22のキック方向を変えることができる。
【手続補正３７】
【補正対象書類名】明細書
【補正対象項目名】０１０５
【補正方法】変更
【補正の内容】
【０１０５】
また、請求項１４に記載のように、通常のジョイスティックのように、放出方向操作部材をどの方向にも傾けて、その傾けた方向に攻撃側ボールキック装置22からサッカーボール０をキックさせることができる。
【手続補正３８】
【補正対象書類名】明細書
【補正対象項目名】０１０６
【補正方法】変更
【補正の内容】
【０１０６】
さらに、請求項１５記載のように、放出方向操作部材の頂端に放出ボタンを設けるようにすれば、キック方向の設定とキック開始とを一方の手で同時に行なうことができる。
【手続補正３９】
【補正対象書類名】明細書
【補正対象項目名】０１０７
【補正方法】削除
【補正の内容】